(57)【特許請求の範囲】
【請求項１】
筒状の弁箱の周壁部に配水本管の上流側本管に通じる第１流入ポートと、配水本管の下流側本管に通じる第１流出ポートと、貯水槽の入口に通じる第２流出ポートと、貯水槽の出口に通じる第２流入ポートが設けられ、
前記弁箱の内部に軸方向の移動自在に弁棒部を備えた弁本体が装入され、
この弁本体を常時軸方向の一方側に付勢する第１付勢手段と、この第１付勢手段の付勢に抗して弁本体を軸方向の他方側に付勢する圧力室および該圧力室と前記配水本管側とを連通させる導水管とを備え、
前記配水本管側の水圧が作動設定値を超えている平常時には、前記圧力室の水圧により前記第１付勢手段の付勢に抗して前記弁本体を前記弁箱の軸方向の一方側に移動させて、前記第１流入ポートと第２流出ポートおよび第１流出ポートと第２流入ポートを連通させた弁開状態で、前記貯水槽を配水管路の一部として機能させるとともに、
前記配水本管側の水圧が作動設定値以下に低下した異常事態発生時には、前記第１付勢手段の付勢により前記圧力室の水圧に抗して前記弁本体を前記弁箱の軸方向の他方側に移動させて、前記第１流入ポートと第１流出ポートを連通させた弁閉状態で、前記貯水槽への汚水の流入を防止して、該貯水槽内に飲料水を確保し、かつ前記配水本管の通水を確保するように構成した貯水槽用緊急弁の手動復帰装置であって、
該手動復帰装置は、前記導水管に介設した切換弁と、少なくとも該切換弁を迂回して上流側の一次側導水管と下流側の二次側導水管とを連通させるバイパス通路と、このバイパス通路に介設した復帰弁と、二次側導水管から分岐されて該二次側導水管と切換弁のパイロット圧力室とを連通させるパイロット配管と、このパイロット配管と二次側導水管との分岐点より上流側の導水管に介設されて前記平常時に弁開し前記異常事態発生時に弁閉する制水弁と、この制水弁と前記分岐点との間で二次側導水から分岐された排水管と、この排水管に介設されて前記平常時および前記異常事態発生後における前記配水本管側の圧力回復時に弁閉し、かつ前記異常事態発生時に弁開する排水弁とを具備し、
前記切換弁は、弁体およびこの弁体を常時弁閉方向に付勢する第２付勢手段を備え、
前記平常時に前記パイロット圧力室のパイロット圧により前記弁体を第２付勢手段の付勢に抗して移動させて弁開し、
前記異常事態発生時に前記第２付勢手段の付勢により前記弁体を前記パイロット圧に抗して移動させて弁閉するように構成され、
切換弁の弁閉により前記排水管を通して前記貯水槽用緊急弁の圧力室と該切換弁のパイロット圧力室および二次側導水管内の水を排水し、
前記配水本管側の圧力回復に伴う前記排水弁の弁閉後に前記復帰弁の手動弁開により前記パイロット圧を発生させて切換弁を弁開したのちに、前記復帰弁の手動弁閉により前記貯水槽用緊急弁を平常状態に復帰させることを
特徴とする貯水槽用緊急弁の手動復帰装置。
【発明の詳細な説明】
【０００１】
【発明の属する技術分野】
本発明は、水道施設の配水本管と耐震貯水槽の間の管路に介設して、配水本管の破損等の異常事態発生時に緊急に作動させ、貯水槽への汚水の流入を防止するとともに、配水本管の通水を確保する貯水槽用緊急弁の手動復帰装置に関する。
【０００２】
【従来の技術】
従来より、たとえば図１２に示すような水道施設における配水本管１の上流側本管１Ａと耐震貯水槽２（以下、単に貯水槽２という）の入口２Ａとを連通させる流入管３に介設した流入弁４と、貯水槽２の出口２Ｂと配水本管１の下流側本管１Ｂとを連通させる流出管５に介設した流出弁６および流入管３における流入弁４の上流位置と流出管５における流出弁６の下流位置、つまり流入管３の一次側３Ａと流出管５の二次側５Ｂとを連通させるバイパス管７に介設したバイパス弁８の３個の弁４、６、８を使用した貯水槽用緊急弁が知られている。なお、図中Ｖ１、Ｖ２、Ｖ３は制水弁を示す。
【０００３】
前記構成の貯水槽用緊急弁において、平常時には、図１２のようにバイパス弁８と制水弁Ｖ１が弁閉され、流入弁４と流出弁６および制水弁Ｖ２、Ｖ３が弁開される。このため、水は矢印で示すように、配水本管１の上流側本管１Ａ→流入管３の一次側３Ａ→流入弁４→流入管３の二次側３Ｂの経路で貯水槽２に流入して貯水される。また、貯水槽２から出た水は、流出管５の一次側５Ａ→流出弁６→流出管５の二次側５Ｂ→配水本管１の下流側本管１Ｂの経路で流下する。この状態で貯水槽２は水道管路の一部として機能する。
【０００４】
たとえば、地震などにより配水本管１に破損等の異常事態が発生して、配水本管１の水圧が設定値以下に低下すると、この水圧を検知して、図１３に示すように、流入弁４と流出弁６が弁閉され、バイパス弁８が弁開する。このため、水は矢印で示すように、配水本管１の上流側本管１Ａ→流入管３の一次側３Ａ→バイパス管７→流出管５の二次側５Ｂ→配水本管１の下流側本管１Ｂの経路で流下する。これにより、貯水槽２への汚水の流入を防止して、応急給水用の飲料水を貯水槽２内に確保するとともに、配水本管１の通水確保により配水本管１に接続されている消火栓（図示省略）などの使用可能な状態を得ることができる。
【０００５】
しかし、前記この種の貯水槽用緊急弁は、流入弁４と流出弁６およびバイパス弁８の３つの弁を必要とし弁の使用台数が多くなり、それだけ誤動作が生じる確率も高くなる。このため、異常事態の発生時に、前記３つの弁の少なくとも１つの弁に誤動作が生じると、貯水槽２への汚水の流入を防止できても配水本管１の通水が確保されない不都合、あるいは配水本管１の通水を確保できても、貯水槽２への汚水の流入を防止できない不都合などが発生する。しかも、大きい設置スペースが必要になる。
【０００６】
そこで、弁の使用台数を減らし、弁の誤動作が生じる確率を低くすることで、前述の欠点を解消した貯水槽用緊急弁が提供されている。この種の貯水槽用緊急弁は、図１４および図１５に示すように、１台の緊急遮断式のバタフライ弁９を備えている。バタフライ弁９は、配水本管側の分流管１０Ａと、貯水槽側の分流管１０Ｂとの間に介設される。配水本管側の分流管１０ＡはＴ字管１１を介して流入管３の一次側３Ａと流出管５の二次側５Ｂに接続され、貯水槽側の分流管１０ＢはＴ字管１２を介して流入管３の二次側３Ｂと流出管５の一次側５Ａに接続される。また、配水本管側の分流管１０Ａは、上側の通路５Ｂ１と下側の通路３Ａ１に区画されており、貯水槽側の分流管１０Ｂは、上側の通路５Ａ１と下側の通路３Ｂ１に区画されている。そして、Ｔ字管１１には、流入管３の一次側３Ａと配水本管側の分流管１０Ａにおける下側の通路３Ａ１とを連通させ、かつ流出管５の二次側５Ｂと配水本管側の分流管１０Ａにおける上側の通路５Ｂ１とを連通させる隔壁１１Ａが設けられ、Ｔ字管１２には、流入管３の二次側３Ｂと貯水槽側の分流管１０Ｂにおける下側の通路３Ｂ１とを連通させ、かつ流出管５の一次側５Ａと配水本管側の分流管１０Ｂにおける上側の通路５Ａ１とを連通させる隔壁１１Ａが設けられている。なお、図中Ｖ１は制水弁を示す。
【０００７】
このような構成であれば、平常時には、図１４および図１５のようにバタフライ弁９が弁開され、制水弁Ｖ１が弁閉される。このため、水は矢印で示すように、配水本管１の上流側本管１Ａ→流入管３の一次側３Ａ→Ｔ字管１１Ａ→配水本管側の分流管１０Ａの下側の通路３Ａ１→バタフライ弁９→貯水槽側の分流管１０Ｂの下側の通路３Ｂ１→流入管３の二次側３Ｂの経路で貯水槽２に流入して貯水される。また、貯水槽２から出た水は、流出管５の一次側５Ａ→Ｔ字管１２Ａ→貯水槽側の分流管１０Ｂの上側の通路５Ａ１→バタフライ弁９→配水本管側の分流管１０Ａの上側の通路５Ｂ１→Ｔ字管１１Ａ→流出管５の二次側５Ｂ→配水本管１の下流側本管１Ｂの経路で流下する。この状態で貯水槽２は水道管路の一部として機能する。
【０００８】
たとえば、地震などにより配水本管１に破損等の異常事態が発生して、配水本管１の水圧が設定値以下に低下すると、この水圧を検知して、図１６および図１７に示すようにバタフライ弁９が弁閉する。このため、水は矢印で示すように、配水本管１の上流側本管１Ａ→流入管３の一次側３Ａ→Ｔ字管１１Ａ→配水本管側の分流管１０Ａの下側の通路３Ａ１→バタフライ弁９の手前→配水本管側の分流管１０Ａの上側の通路５Ｂ１→Ｔ字管１１Ａ→流出管５の二次側５Ｂ→配水本管１の下流側本管１Ｂの経路で流下する。これにより、貯水槽２への汚水の流入を防止して、応急給水用の飲料水を貯水槽２内に確保するとともに、配水本管１の通水確保により配水本管１に接続されている消火栓（図示省略）などの使用可能な状態を得ることができる。
【０００９】
しかし、弁の使用台数を減らすように工夫された上記の貯水槽用緊急弁は、上側の通路５Ｂ１と下側の通路３Ａ１に区画した配水本管側の分流管１０Ａと、上側の通路５Ａ１と下側の通路３Ｂ１に区画した貯水槽側の分流管１０Ｂと、流入管３の一次側３Ａと配水本管側の分流管１０Ａにおける下側の通路３Ａ１とを連通させ、かつ流出管５の二次側５Ｂと配水本管側の分流管１０Ａにおける上側の通路５Ｂ１とを連通させる隔壁１１Ａが設けられたＴ字管１１および流入管３の二次側３Ｂと貯水槽側の分流管１０Ｂにおける下側の通路３Ｂ１とを連通させ、かつ流出管５の一次側５Ａと貯水槽側の分流管１０Ｂにおける上側の通路５Ａ１とを連通させる隔壁１２Ａが設けられたＴ字管１２を必要とする。しかも、これら配水本管側の分流管１０Ａ、貯水槽側の分流管１０Ｂ、Ｔ字管１１およびＴ字管１２は、それぞれ構造が複雑であるから製作に困難を伴う。
【００１０】
そこで、本発明出願人は、特願平９−１４６４９６号において、弁の使用台数を減らし、異常事態の発生時に前述の不都合が発生する確率を低下させることで信頼性を高めるとともに、設置スペースを縮小し、かつ構造が複雑な分流管やＴ字管などの配管材料の使用を省略して、簡単に製作することができる貯水槽用緊急弁を既に提供している。
【００１１】
この種の貯水槽用緊急弁は、図１および図２に示すように、１つの筒状の弁箱１３と、この弁箱１３の内部に軸方向の移動自在に装入された弁本体１４とを備えている。弁本体１４は弁棒部１４Ｄと、この弁棒部１４Ｄの軸方向一端部に取付けられたピストン部１４Ａと、弁棒部１４Ｄの軸方向の他端側に偏って取付けられた第１弁体部１４Ｂおよびピストン部１４Ｆと、弁棒部１４Ｄの軸方向の略中央部に取付けられた第２弁体部１４Ｃを有し、ピストン部１４Ａ、第１弁体部１４Ｂ、第２弁体部１４Ｃ、ピストン部１４Ａおよびピストン部１４Ｆの外周面と弁箱１３の内周面とで水封できるように構成されている。
【００１２】
弁箱１３の内部には、環状の第１弁箱シート１３Ａ、環状の第２弁箱シート１３Ｂおよび環状の第３弁箱シート１３Ｃが設けられ、ピストン部１４Ａは環状の第１弁箱シート１３Ａの軸方向一端側の圧力室１６内に位置し、ピストン部１４Ｆは軸方向他端側の付勢室１７内に位置しており、第１弁体部１４Ｂは付勢室１７の近くに位置している。また、第２弁体部１４Ｃは環状の第１弁箱シート１３Ａと環状の第２弁箱シート１３Ｂの間の流入室１８内に位置しており、環状の第２弁箱シート１３Ｂと環状の第３弁箱シート１３Ｃの間に流出室１９が形成されている。
【００１３】
一方、弁箱１３には、その周壁を貫通して流入室１８に通じる第１流入ポートＰ１と、流出室１９に通じる第１流出ポートＰ２が形成されているとともに、これら各ポートＰ１，Ｐ２の形成位置から周方向に１８０゜離れた位置の周壁を貫通して、第１弁箱シート１３Ａを介して流入室１８に通じる第２流出ポートＰ３と、第３弁箱シート１３Ｃを介して流出室１９に通じる第２流入ポートＰ４が形成されている。また、前記弁箱１３の一端部を貫通して圧力室１６に通じるパイロットポートＰ５が形成され、前記付勢室１７内にはスプリングによってなる付勢手段１５が装入されており、弁本体１４を軸方向一端側に向けて常時付勢している。
【００１４】
貯水槽用緊急弁Ｖは、水道施設における配水本管１と貯水槽２の間に介設される。すなわち、配水本管１の上流側本管１Ａは流入管３の一次側３Ａを介して第１流入ポートＰ１に接続され、配水本管１の下流側本管１Ｂは流出管５の二次側５Ｂを介して第１流出ポートＰ２に接続されるとともに、貯水槽２の入口２Ａは流入管３の二次側３Ｂを介して第２流出ポートＰ３に接続され、貯水槽２の出口２Ｂは流出管５の一次側５Ａを介して第２流入ポートＰ４に接続されている。また、配水本管１の上流側本管１Ａは導水管管２０を介してパイロットポートＰ５に接続されている。図中Ｖ１は制水弁を示す。
【００１５】
他方、付勢室１７の外側には、軸方向他端側に延びる弁本体の開度指示装置３０が設けられている。この弁本体の開度指示装置３０は、付勢室１７の外端壁部１７Ａに貫設した弁棒挿通孔１７ａを介して、付勢室１７の内部に連通して該付勢室１７の外側に軸方向他端側に延びて取付けられた筒状の弁棒カバー３０Ａと、弁棒挿通孔１７ａを貫通して弁棒カバー３０Ａの内部に挿入された弁棒部１４Ｄの弁箱外突出部１４ｄと、この弁箱外突出部１４ｄに固着された扇型もしくは円盤状の弁開度指示部材３０Ｂ（ただし、本実施の形態では扇型の弁開度指示部材３０Ｂを固着している）と、弁開度指示部材３０Ｂの外周部に対応し、かつ前記軸方向に延びて弁棒カバー３０Ａの周壁部に貫設された弁開度指示部材の目視用窓部３０Ｃとを具備しており、弁開度指示部材の目視用窓部３０Ｃ近くの弁棒カバー３０Ａの周壁部には、目視用窓部３０Ｃの軸方向の他端側（一方側）に偏って文字「開」が表示され、目視用窓部３０Ｃの軸方向の一端側（他方側）に偏って文字「閉」が表示されている。
【００１６】
さらに、この種の貯水槽用緊急弁Ｖは自動復帰装置４０を備えている。自動復帰装置４０は、導水管２０に介設されるとともに、導水管２０の水圧をダイヤフラム室に取り込んで前記平常時には図１のように弁開され、かつ前記異常事態発生時には図２のように弁閉されるダイヤフラム弁によってなる制水弁４１と、この制水弁４１の下流側で導水管２０から分岐された排水管４２と、この排水管４２に介設されるとともに、導水管２０における制水弁４１よりも上流側の水圧をダイヤフラム室に取り込んで前記平常時には図１のように弁閉され、かつ前記異常事態発生時には図２のように弁開されるダイヤフラム弁によってなる排水弁４３とによって構成されている。
【００１７】
前記構成において、平常時における配水本管１および導水管２０の水圧は設定値を超えている。制水弁４１のダイヤフラム室には導水管２０から設定値を超えている高い水圧が取り込まれるので弁開し、排水弁４３のダイヤフラム室にも導水管２０から設定値を超えている高い水圧が取り込まれるので弁閉する。このため、設定値を超えている高い水圧をパイロット圧として導水管２０→パイロットポートＰ５の経路で圧力室１６に導入し、弁本体１４のピストン部１４Ａに負荷することができる。弁本体１４のピストン部１４Ａに高いパイロット圧が負荷されると、付勢手段１５の付勢に抗して弁本体１４を弁箱１３の軸方向他端側に移動させて、貯水槽用緊急弁Ｖを弁開する。これにより、流入室１８を介して、第１流入ポートＰ１と第２流出ポートＰ３が連通するとともに、流出室１９を介して、第１流出ポートＰ２と第２流入ポートＰ４が連通する。このため、水は矢印で示すように、配水本管１の上流側本管１Ａ→流入管３の一次側３Ａ→第１流入ポートＰ１→流入室１８→→第２流出ポートＰ３→流入管３の二次側３Ｂの経路で貯水槽２に流入して貯水される。また、貯水槽２から出た水は、流出管５の一次側５Ａ→第２流入ポートＰ４→流出室１９→第１流出ポートＰ２→流出管５の二次側５Ｂ→配水本管１の下流側本管１Ｂの経路で流下する。この状態で貯水槽２は水道管路の一部として機能する。
【００１８】
この場合、弁棒部１４Ｄの弁箱外突出部１４ｄに固着されている弁開度指示部材３０Ｂは、筒状の弁棒カバー３０Ａの軸方向の一方側に偏った全開指示位置、つまり表示文字「開」に対応する位置に在り、この全開指示位置に在る弁開度指示部材３０Ｂを目視用窓部３０Ｃから視認することによって、弁本体１４の全開状態を確認することができる。
【００１９】
たとえば、地震などにより配水本管１に破損等の異常事態が発生して、配水本管１の水圧が設定値以下に低下すると、制水弁４１のダイヤフラム室には導水管２０から設定値以下の低い水圧が取り込まれるので弁閉し、排水弁４３のダイヤフラム室にも導水管２０から設定値以下の低い水圧が取り込まれるので弁開する。このため、圧力室１６は導水管２０の一部と排水管４２を介して大気開放される。その結果、図２に示すように、付勢手段１５の付勢により第２弁体部１４Ｃが第１弁箱シート１３Ａに当接し、かつ第１弁体部１４Ｂが第３弁箱シート１３Ｃに当接する位置まで、弁本体１４を弁箱１３の軸方向一端側に移動させる。これにより、流入室１８と流出室１９を介して、第１流入ポートＰ１と第１流出ポートＰ２が連通する。このため、水は矢印で示すように、配水本管１の上流側本管１Ａ→流入管３の一次側３Ａ→第１流入ポートＰ１→流入室１８→流出室１９→第１流出ポートＰ２→流出管５の二次側５Ｂ→配水本管１の下流側本管１Ｂの経路で流下する。したがって、貯水槽２への汚水の流入を防止して、応急給水用の飲料水を貯水槽２内に確保するとともに、配水本管１の通水確保により配水本管１に接続されている消火栓（図示省略）などの使用可能な状態を得ることができる。
【００２０】
ところが、前述の自動復帰装置４０では、異常事態の発生後に配水本管１の破損箇所等が補修されることで、配水本管１の水圧が設定値を超える値に回復するのと同時に自動復帰して、貯水槽用緊急弁Ｖを図１に示す平常状態に復帰させることになる。このため、配水本管１の補修時に管内に取り込まれた土砂などを含む泥水が貯水槽２に流入して、貯水槽２内の水を応急給水用の飲料水として供給し得なくなる事態が生じるおそれを有している。
【００２１】
【発明が解決しようとする課題】
すなわち、従来の貯水槽用緊急弁の欠点を解消した貯水槽用緊急弁の自動復帰装置では、配水本管の破損箇所の補修完了後に配水本管の水圧が回復するのと同時自動復帰して弁本体を弁開し、貯水槽を配水管路の一部として機能させることになるので、配水本管における貯水槽用緊急弁の設置位置よりも上流側で破損等の異常事態が発生すると、破損箇所の補修時に配水本管に取り込まれた異物によって汚れた水が誤って貯水槽に入り込み、貯水槽内の水を応急給水用の飲料水として供給し得なくなる事態が生じるおそれを有している。
【００２２】
そこで、本発明は、従来の貯水槽用緊急弁の欠点を解消した貯水槽用緊急弁において、たとえ配水本管における貯水槽用緊急弁の設置位置よりも上流側で破損等の異常事態が発生し、破損箇所の補修時に管内に異物が取り込まれても、この異物によって汚れた水が誤って貯水槽に入り込むのを確実に防止できる貯水槽用緊急弁の手動復帰装置を提供することを目的としたものである。
【００２３】
【課題を解決するための手段】
前記目的を達成するために、本発明に係る貯水槽用緊急弁の手動復帰装置は、筒状の弁箱の周壁部に配水本管の上流側本管に通じる第１流入ポートと、配水本管の下流側本管に通じる第１流出ポートと、貯水槽の入口に通じる第２流出ポートと、貯水槽の出口に通じる第２流入ポートが設けられ、前記弁箱の内部に軸方向の移動自在に弁棒部を備えた弁本体が装入され、この弁本体を常時軸方向の一方側に付勢する第１付勢手段と、この第１付勢手段の付勢に抗して弁本体を軸方向の他方側に付勢する圧力室および該圧力室と前記配水本管側とを連通させる導水管とを備え、前記配水本管側の水圧が作動設定値を超えている平常時には、前記圧力室の水圧により前記第１付勢手段の付勢に抗して前記弁本体を前記弁箱の軸方向の一方側に移動させて、前記第１流入ポートと第２流出ポートおよび第１流出ポートと第２流入ポートを連通させた弁開状態で、前記貯水槽を配水管路の一部として機能させるとともに、前記配水本管側の水圧が作動設定値以下に低下した異常事態発生時には、前記第１付勢手段の付勢により前記圧力室の水圧に抗して前記弁本体を前記弁箱の軸方向の他方側に移動させて、前記第１流入ポートと第１流出ポートを連通させた弁閉状態で、前記貯水槽への汚水の流入を防止して、該貯水槽内に飲料水を確保し、かつ前記配水本管の通水を確保するように構成した貯水槽用緊急弁の手動復帰装置であって、該手動復帰装置は、前記導水管に介設した切換弁と、少なくとも該切換弁を迂回して上流側の一次側導水管と下流側の二次側導水管とを連通させるバイパス通路と、このバイパス通路に介設した復帰弁と、二次側導水管から分岐されて該二次側導水管と切換弁のパイロット圧力室とを連通させるパイロット配管と、このパイロット配管と二次側導水管との分岐点より上流側の導水管に介設されて前記平常時に弁開し前記異常事態発生時に弁閉する制水弁と、この制水弁と前記分岐点との間で二次側導水から分岐された排水管と、この排水管に介設されて前記平常時および前記異常事態発生後における前記配水本管側の圧力回復時に弁閉し、かつ前記異常事態発生時に弁開する排水弁とを具備し、前記切換弁は、弁体およびこの弁体を常時弁閉方向に付勢する第２付勢手段を備え、前記平常時に前記パイロット圧力室のパイロット圧により前記弁体を第２付勢手段の付勢に抗して移動させて弁開し、前記異常事態発生時に前記第２付勢手段の付勢により前記弁体を前記パイロット圧に抗して移動させて弁閉するように構成され、切換弁の弁閉により前記排水管を通して前記貯水槽用緊急弁の圧力室と該切換弁のパイロット圧力室および二次側導水管内の水を排水し、前記配水本管側の圧力回復に伴う前記排水弁の弁閉後に前記復帰弁の手動弁開により前記パイロット圧を発生させて切換弁を弁開したのちに、前記復帰弁の手動弁閉により前記貯水槽用緊急弁を平常状態に復帰させることを特徴としている。
【００２４】
本発明によれば、配水本管に破損等の異常事態が発生すると、切換弁、復帰弁および制水弁が弁閉されるとともに、排水弁が弁開する。このため、排水管を通して貯水槽用緊急弁の圧力室と切換弁のパイロット圧力室および二次側導水管内の水が排水され、貯水槽用緊急弁を弁閉して、貯水槽への汚水の流入を防止するとともに、貯水槽内に飲料水を確保し、かつ配水本管の通水を確保する。
また、配水本管の破損箇所の補修完了後に配水本管の水圧が回復しても、切換弁、復帰弁および制水弁は弁閉されているので、貯水槽用緊急弁を弁閉状態に保持できる。このため、貯水槽への汚水の流入を防止するとともに、貯水槽内に飲料水を確保し、かつ配水本管の通水を確保できる。また、排水弁の弁閉によって一次側導水管からの排水を防止する。
前記破損箇所の補修時に配水本管に異物が取り込まれても、取り込まれた異物によって汚れた水は配水本管を流下することになるので、汚れた水が誤って貯水槽に入り込むことはない。破損箇所の補修完了後から所定時間経過後、つまり前記汚れた水が下流側本管に流れ切ったと判断した時点で、復帰弁を直接または間接手動操作によって弁開することで、制水弁を弁開し、制水弁の弁開に伴って切換弁を弁開させて、貯水槽用緊急弁の弁本体を弁開した平常時の状態に復帰させることができる。
【００２５】
【発明の実施の形態】
以下、本発明の一実施の形態を図面に基づいて説明する。なお、貯水槽用緊急弁の構造および作用は、図１、図２の比較例の貯水槽用緊急弁と同じであり、本発明の特徴構成は、貯水槽用緊急弁の手動復帰装置ににあるので、前記比較例と同一もしくは相当部分には同一符号を付して詳しい説明は省略する。
【００２６】
図３において、手動復帰装置５０は、導水管２０に介設した切換弁５１と、この切換弁５１を迂回して上流側の一次側導水管２０Ａと下流側の二次側導水管２０Ｂとを連通させるバイパス通路５２と、このバイパス通路５２に介設した復帰弁５３と、パイロット配管５４と、制水弁５５と、排水管５６および排水弁５７を備えている。
【００２７】
切換弁５１は、図４に示すように、弁箱５１Ａと、この弁箱５１Ａの内部に軸方向の移動自在に装入された弁体５１Ｂとを備えている。弁体５１Ｂは弁棒部５１Ｃと、この弁棒部５１Ｃの軸方向一端部に取付けられたピストン部５１Ｄと、弁棒部５１Ｃの軸方向の他端部に取付けられた弁体部５１Ｅを有し、ピストン部５１Ｄはパイロット圧力室５１Ｆに収容され、ピストン部５１Ｄの外周面とパイロット圧力室５１Ｆの内周面とで水封できるように構成されており、弁体部５１Ｅは弁室５１Ｇに収容されて、スプリング５１Ｈにより常時軸方向の一端側に向けて付勢されている。また、弁箱５１Ａにおける弁室５１Ｇの一端部に環状の弁箱シート５１Ｉが設けられ、圧力室５１Ｆに連通するパイロットポート５１Ｊが貫設されている。
【００２８】
一方、弁箱５１Ａには、その周壁を貫通して弁室５１Ｇに通じる流入ポート５１Ｋと流出ポート５１Ｌが形成されており、導水管２０における上流側の一次側導水管２０Ａの出口が流入ポート５１Ｋに接続され、下流側の二次側導水管２０Ｂの入口が流出ポート５１Ｌに接続される。
【００２９】
図３および図４において、パイロット配管５４は二次側導水管２０Ｂから分岐され、その先端部を切換弁５１のパイロットポート５１Ｊに接続することで、二次側導水管２０Ｂと切換弁５１のパイロット圧力室５１Ｆとを連通させている。制水弁５５はダイヤフラム弁によってなり、二次側導水管２０Ｂにおけるパイロット配管５４の分岐点より上流側に介設され、二次側導水管２０Ｂの水圧をダイヤフラム室に取り込んで平常時には弁開し異常事態発生時には弁閉する。排水管５６は二次側導水管２０Ｂにおけるパイロット配管５４の分岐点と制水弁５５の間から分岐される。この排水管５６には、一次側導水管２０Ａの水圧をダイヤフラム室に取り込んで平常時には弁閉し異常事態発生時には弁開する排水弁５７が介設されている。また、復帰弁５３としてハンドルやレバーの手動操作によって直接的に開閉できる構造の弁または電源の遠隔手動操作によって間接的に開閉できる電磁弁もしくは電動弁などが使用される。
【００３０】
前記構成において、貯水槽用緊急弁Ｖおよび手動復帰装置５０の設置直後で、配水本管１の水圧が設定値を超えている平常時では、まず、図３の復帰弁５３を直接または間接手動操作によって予備的に弁開する。これにより、制水弁５５はダイヤフラム室に二次側導水管２０Ｂから高い水圧が取り込まれるので弁開する。排水弁５７のダイヤフラム室には、すでに一次側導水管２０Ａから高い水圧が取り込まれているので弁閉している。このため、二次側導水管２０Ｂおよびパイロット配管５４を介して、図４の切換弁５１におけるパイロット圧力室５１Ｆ内のピストン部５１Ｄに高い水圧が負荷され、弁体５１Ｂをスプリング５１Ｈのばね力に抗して軸方向他端側に向け押圧移動させ、弁室５１Ｇを介して流入ポート５１Ｋと流出ポート５１Ｌを連通させた切換弁５１の弁開が得られる。ここで、復帰弁５３を手動操作によって弁閉する。
【００３１】
このように、切換弁５１と制水弁５５が弁開し、排水弁５７が弁閉することで、設定値を超えている高い水圧をパイロット圧として導水管２０→パイロットポートＰ５の経路で圧力室１６に導入し、弁本体１４のピストン部１４Ａに負荷して貯水槽用緊急弁Ｖを弁開することによって、配水本管１の水を貯水槽２に貯水するとともに、貯水槽２を水道管路の一部として機能させることができる。
【００３２】
たとえば、地震などにより配水本管１に破損等の異常事態が発生して、配水本管１の水圧が設定値以下に低下すると、図５のように制水弁５５のダイヤフラム室には二次側導水管２０Ｂから低い水圧が取り込まれるので弁閉し、排水弁５７のダイヤフラム室には一次側導水管２０Ａから低い水圧が取り込まれるので弁開する。このため、切換弁５１におけるパイロット圧力室５１Ｆおよび貯水槽用緊急弁Ｖの圧力室１６は二次側導水管２０Ｂの一部と排水管５６を介して大気開放される。切換弁５１の弁体５１Ｂは、図６のようにスプリング５１Ｈのばね力によって軸方向一端側に向け移動し、弁体部５１Ｅが弁箱シート５１Ｉに密着して流入ポート５１Ｋと流出ポート５１Ｌを遮断した弁閉状態になる。また、貯水槽用緊急弁Ｖも弁閉されるので、貯水槽２への汚水の流入を防止するとともに、貯水槽２内に飲料水を確保し、かつ配水本管１の通水を確保して配水本管１に接続されている消火栓（図示省略）などの使用可能な状態を得ることができる。
【００３３】
配水本管１の破損箇所の補修完了後の通水により、配水本管１の水圧が回復すると、図７に示すように、排水弁５７のダイヤフラム室に一次側導水管２０Ａから高い水圧が取り込まれているので弁閉する。しかし、切換弁５１、常閉手動弁５３および制水弁５５は弁閉されているので、貯水槽用緊急弁Ｖを弁閉状態に保持できる。このため、たとえ配水本管１における貯水槽用緊急弁Ｖの設置位置よりも上流側の上流側本管１Ａで破損等の異常事態が発生し、この破損箇所の補修時に管内に異物が取り込まれても、この異物によって汚れた水が誤って貯水槽２に入り込むのを確実に防止し、貯水槽２内に飲料水を確保するとともに、配水本管１の通水を確保して、前記消火栓などの使用可能な状態を得ることができる。
【００３４】
前記破損箇所の補修完了後から所定時間経過後、つまり前記汚れた水が下流側本管１Ｂに流れ切ったと判断した時点で、図８のように復帰弁５３を直接または間接手動操作によって弁開する。これにより、制水弁５５はダイヤフラム室に二次側導水管２０Ｂから高い水圧が取り込まれるので弁開する。排水弁５７のダイヤフラム室には、すでに一次側導水管２０Ａから高い水圧が取り込まれているので弁閉している。このため、切換弁５１は前述の理由により図４のように弁開する。
【００３５】
このように、切換弁５１と制水弁５５が弁開し、排水弁５７が弁閉することで、貯水槽用緊急弁Ｖは弁開されるので配水本管１の水を貯水槽２に貯水するとともに、貯水槽２を水道管路の一部として機能させることができる。ここで、復帰弁５３を手動操作によって弁閉することで、図３の平常時の状態に復帰させることができる。
【００３６】
前記実施の形態では、制水弁５５を二次側導水管２０Ｂに介設しているが、図９に示すように、制水弁５５を一次側導水管２０Ａにおけるバイパス通路５２の入口よりも上流位置に介設した構成であってもよい。また、図１０に示すように、制水弁５５を一次側導水管２０Ａにおけるバイパス通路５２の入口と切換弁５１の間に介設した構成であってもよい。さらに、図１１に示すように、制水弁５５を二次側導水管２０Ｂにおけるバイパス通路５２の出口と切換弁５１の間に介設した構成であってもよい。
【００３７】
【発明の効果】
以上説明したように、本発明は、配水本管の破損箇所の補修完了後に配水本管の水圧が回復しても、切換弁、常閉手動弁および制水弁は弁閉されているので、貯水槽用緊急弁を弁閉状態に保持できる。このため、たとえ配水本管における貯水槽用緊急弁の設置位置よりも上流側で破損等の異常事態が発生しても、破損箇所の補修時に混入した異物によって汚れた水が誤って貯水槽に入り込むことはない。
【図面の簡単な説明】
【図１】比較例の平常時の状態を示す構成図である。
【図２】比較例の異常事態発生時の状態を示す構成図である。
【図３】本発明の平常時における一実施の形態を示す構成図である。
【図４】切換弁の弁開状態を示す拡大断面図である。
【図５】本発明の異常事態発生時の一実施の形態を示す構成図である。
【図６】切換弁の弁閉状態を示す拡大断面図である。
【図７】本発明の圧力回復時の一実施の形態を示す構成図である。
【図８】本発明の手動復帰操作時の一実施の形態を示す構成図である。
【図９】本発明の他の実施の形態を示す構成図である。
【図１０】本発明の他の実施の形態を示す構成図である。
【図１１】本発明の他の実施の形態を示す構成図である。
【図１２】従来例の平常時における形態を示す構成図である。
【図１３】従来例の異常事態発生時における形態を示す構成図である。
【図１４】他の従来例の平常時における形態を示す構成図である。
【図１５】図１４のＡ−Ａ線拡大断面図である。
【図１６】他の従来例の異常事態発生時における形態を示す構成図である。
【図１７】図１６のＢ−Ｂ線拡大断面図である。
【符号の説明】
１  配水本管
１Ａ  上流側本管
１Ｂ  下流側本管
２  耐震貯水槽（貯水槽）
２Ａ  入口
２Ｂ  出口
１３  筒状の弁箱
１４  弁本体
１４Ｄ  弁棒部
１５  スプリング（第１付勢手段）
１６  圧力室
２０  導水管
２０Ａ  一次側導水管
２０Ｂ  二次側導水管
５０  手動復帰装置
５１  切換弁
５１Ｆ  切換弁のパイロット圧力室
５１Ｈ  スプリング（第２付勢手段）
５２  バイパス通路
５３  復帰弁
５４  パイロット配管
５５  制水弁
５６  排水管
５７  排水弁
Ｐ１  第１流入ポート
Ｐ２  第１流出ポート
Ｐ３  第２流出ポート
Ｐ４  第２流入ポート
Ｐ５  パイロットポート
Ｖ  貯水槽用緊急弁
【図１】
0003569624.tif 000002
【図２】
0003569624.tif 000003
【図３】
0003569624.tif 000004
【図４】
0003569624.tif 000005
【図５】
0003569624.tif 000006
【図６】
0003569624.tif 000007
【図７】
0003569624.tif 000008
【図８】
0003569624.tif 000009
【図９】
0003569624.tif 000010
【図１０】
0003569624.tif 000011
【図１１】
0003569624.tif 000012
【図１２】
0003569624.tif 000013
【図１３】
0003569624.tif 000014
【図１４】
0003569624.tif 000015
【図１５】
0003569624.tif 000016
【図１６】
0003569624.tif 000017
【図１７】
0003569624.tif 000018